(57)【要約】【課題】谷部に下端主筋を容易に配筋することができるデッキプレートの配筋構造を提供する。【解決手段】デッキプレート１０の配筋構造は、山部１２と谷部１４とを有する波形のデッキプレート１０上に配置され、谷部１４の延出方向に延びる上端主筋２０と、上端主筋２０の下部に配置され、谷部１４の延出方向に直交する方向にそれぞれ延びる複数の配力筋２２と、谷部１４内に配置され、上端主筋２０に支持された吊下げ筋２４と、谷部１４内に配置され、吊下げ筋２４に支持された下端主筋２６と、を有する。【選択図】図２
2019031792.tif 000002
【特許請求の範囲】
【請求項１】
山部と谷部とを有する波形のデッキプレート上に配置され、前記谷部の延出方向に延びる上端主筋と、
前記上端主筋の上部又は下部に配置され、前記谷部の延出方向に直交する方向にそれぞれ延びる複数の配力筋と、
前記谷部内に配置され、前記上端主筋又は前記配力筋に支持された吊下げ筋と、
前記谷部内に配置され、前記吊下げ筋に支持された下端主筋と、
を有するデッキプレートの配筋構造。
【請求項２】
前記上端主筋及び前記下端主筋は、前記谷部毎にそれぞれ２本以上ずつ配置されている、請求項１に記載のデッキプレートの配筋構造。
【請求項３】
前記吊下げ筋はＵ字形状とされており、前記上端主筋又は前記配力筋に係止される係止部が上端部に設けられ、前記下端主筋が載置される受け部が下端部に設けられている、請求項１又は２に記載のデッキプレートの配筋構造。
【発明の詳細な説明】
【技術分野】
【０００１】
本発明は、デッキプレートの配筋構造に関する。
【背景技術】
【０００２】
山部と谷部とを有する波形のデッキプレートにスラブコンクリートを打設して合成スラブを構築する際、合成スラブの耐荷重を高めるために、デッキプレート上に鉄筋を配筋することがある。例えば特許文献１には、谷部内に鉄筋が配筋されたデッキプレートが開示されている。
【先行技術文献】
【特許文献】
【０００３】
【特許文献１】特許第２７８９５１０号公報
【発明の概要】
【発明が解決しようとする課題】
【０００４】
しかしながら、特許文献１に開示されている鉄筋（主筋）は脚材に吊支されており、脚材はデッキプレートの谷部の底にスポット溶接して固定されている。このため、脚材をデッキプレートに溶接する作業が必要となり、配筋作業が容易ではなかった。
【０００５】
本発明は上記事実に鑑み、谷部に下端主筋を容易に配筋することができるデッキプレートの配筋構造を提供することを目的とする。
【課題を解決するための手段】
【０００６】
請求項１に記載のデッキプレートの配筋構造は、山部と谷部とを有する波形のデッキプレート上に配置され、前記谷部の延出方向に延びる上端主筋と、前記上端主筋の上部又は下部に配置され、前記谷部の延出方向に直交する方向にそれぞれ延びる複数の配力筋と、前記谷部内に配置され、前記上端主筋又は前記配力筋に支持された吊下げ筋と、前記谷部内に配置され、前記吊下げ筋に支持された下端主筋と、を有する。
【０００７】
上記構成によれば、デッキプレートの谷部内に下端主筋が配筋されているため、床耐荷重を高めることができるとともに、梁によるデッキプレートの支持スパンを長くすることができる。また、上端主筋又は配力筋に支持された吊下げ筋によって下端主筋が支持されているため、下端主筋を支持する支持部材（吊下げ筋）をデッキプレートに溶接する構成と比較して、配筋作業が容易となる。
【０００８】
請求項２に記載のデッキプレートの配筋構造は、請求項１に記載のデッキプレートの配筋構造であって、前記上端主筋及び前記下端主筋は、前記谷部毎にそれぞれ２本以上ずつ配置されている。
【０００９】
上記構成によれば、上端主筋及び下端主筋が、デッキプレートの谷部毎にそれぞれ２本以上ずつ配置されている。このため、上端主筋及び下端主筋がデッキプレートの谷部毎に１本ずつ配置されている構成と比較して、床耐荷重をより高めることができるとともに、梁によるデッキプレートの支持スパンをより長くすることができる。
【００１０】
請求項３に記載のデッキプレートの配筋構造は、請求項１又は２に記載のデッキプレートの配筋構造であって、前記吊下げ筋はＵ字形状とされており、前記上端主筋又は前記配力筋に係止される係止部が上端部に設けられ、前記下端主筋が載置される受け部が下端部に設けられている。
【００１１】
上記構成によれば、Ｕ字形状の吊下げ筋に係止部及び受け部が設けられている。このため、吊下げ筋の係止部を上端主筋又は配力筋に係止し、吊下げ筋の受け部に下端主筋を載置することで、デッキプレートの谷部に下端主筋を所定のピッチで容易に配筋することができる。
【発明の効果】
【００１２】
本発明によれば、デッキプレートの谷部に下端主筋を容易に配筋することができる。
【図面の簡単な説明】
【００１３】
【図１】実施形態の一例におけるデッキプレートの配筋構造を示す全体斜視図である。
【図２】実施形態の一例におけるデッキプレートの配筋構造を示す部分拡大図である。
【図３】（Ａ）〜（Ｄ）は実施形態の一例におけるデッキプレートへの配筋方法を示す工程図である。
【図４】（Ａ）〜（Ｃ）は変形例におけるデッキプレートの配筋構造を示す部分拡大図である。
【発明を実施するための形態】
【００１４】
以下、本発明の実施形態の一例におけるデッキプレートの配筋構造について、図１及び図２を用いて説明する。
【００１５】
＜配筋構造＞
図１に示すように、本実施形態のデッキプレート１０は、断面が波形のＱＬデッキであり、長さ方向にそれぞれ延びる複数の山部１２と複数の谷部１４とが交互に形成されている。
【００１６】
デッキプレート１０の幅方向の両端部は、例えばＨ形鋼から成る梁１６にそれぞれ支持されており、デッキプレート１０の長さ方向の両端部は、図示しない梁にそれぞれ支持されている。また、デッキプレート１０の表面には、後述するスラブコンクリート２８の付着を良好にするために、複数の凹窪状のコッター１８が形成されている。
【００１７】
図１及び図２に示すように、デッキプレート１０上には、複数の上端主筋２０が配筋されている。上端主筋２０は、デッキプレート１０の谷部１４の延出方向に沿って延びる鉄筋であり、谷部１４毎に２本ずつ配置されている。
【００１８】
また、デッキプレート１０上には、複数の配力筋２２が配筋されている。配力筋２２は、デッキプレート１０の谷部１４の延出方向に直交する方向、すなわち上端主筋２０と交差する方向に延びる鉄筋であり、互いに一定の間隔をあけて配置されている。
【００１９】
なお、デッキプレートの山部１２には、図示しないスペーサブロックが設置されており、複数の配力筋２２は、スペーサブロックにそれぞれ載置されることでデッキプレート１０の山部１２に対して間隔をあけて保持されている。また、配力筋２２は、上端主筋２０の下部に配置されており、上端主筋２０を支持している。
【００２０】
さらに、上端主筋２０には、複数の吊下げ筋２４が支持されている。吊下げ筋２４は、略Ｕ字形状の鉄筋であり、外側へ向かって鉤状に曲げられた一対の係止部２４Ａが上端部にそれぞれ設けられ、平坦な受け部２４Ｂが下端部に設けられている。
【００２１】
吊下げ筋２４は、一対の係止部２４Ａが２本の上端主筋２０にそれぞれ係止されており、受け部２４Ｂがデッキプレート１０の谷部１４内に位置している。なお、図１に示すように、吊下げ筋２４は、上端主筋２０の延出方向に沿って一定の間隔で配置されており、本実施形態では、吊下げ筋２４の間隔は配力筋２２の間隔と略等しくされている。
【００２２】
図１及び図２に示すように、デッキプレート１０の谷部１４内には、下端主筋２６が２本ずつ配筋されている。下端主筋２６は、谷部１４の延出方向、すなわち上端主筋２０と同一方向に延びる鉄筋であり、２本の下端主筋２６が互いに間隔をあけて吊下げ筋２４の受け部２４Ｂにそれぞれ支持されている。
【００２３】
また、下端主筋２６の径は上端主筋２０の径より大きくされており、具体的には、２本の下端主筋２６によって支配幅分の荷重を受け持つことができる大きさとされている。ここで「支配幅」とは、１組の鉄筋で支持することのできる範囲（幅）を示し、本実施形態では、図２に示すように、デッキプレート１０の隣合う山部１２の中心間の幅Ｌが支配幅とされている。
【００２４】
なお、図２に示すように、デッキプレート１０上にはスラブコンクリート２８が打設されており、上端主筋２０、配力筋２２、吊下げ筋２４、及び下端主筋２６は、スラブコンクリート２８にそれぞれ埋設されている。
【００２５】
＜配筋方法＞
以下、本実施形態のデッキプレート１０上に鉄筋（上端主筋２０、配力筋２２、吊下げ筋２４、及び下端主筋２６）を配筋する手順の一例について、図３（Ａ）〜図３（Ｄ）を用いて説明する。
【００２６】
まず、梁１６上に載置されたデッキプレート１０の山部１２に、図示しないスペーサブロックを一定の間隔で設置する。そして、スペーサブロック上に配力筋２２を載置することで、図３（Ａ）に示すように、デッキプレート１０上に配力筋２２を配筋する。
【００２７】
次に、図３（Ｂ）に示すように、配力筋２２の上部に上端主筋２０を載置し、図示しない結束線によって上端主筋２０を配力筋２２に結束する。このとき、上端主筋２０は、デッキプレート１０の谷部１４毎に２本ずつ配置される。
【００２８】
次に、図３（Ｃ）に示すように、吊下げ筋２４の係止部２４Ａを２本の上端主筋２０にそれぞれ係止することにより、デッキプレート１０の谷部１４に吊下げ筋２４を配筋する。また、図示しない結束線によって吊下げ筋２４を上端主筋２０に結束する。
【００２９】
その後、図３（Ｄ）に示すように、吊下げ筋２４の受け部２４Ｂに２本の下端主筋２６を載置することにより、デッキプレート１０の谷部１４内に下端主筋２６を配筋する。また、図示しない結束線によって、２本の下端主筋２６を吊下げ筋２４の受け部２４Ｂの両端部にそれぞれ結束する。
【００３０】
以上の手順により、上端主筋２０、配力筋２２、吊下げ筋２４、及び下端主筋２６をデッキプレート１０上にそれぞれ配筋する。なお、上記手順は一例であるため、配筋位置や配筋手順が異なっていても構わない。その後、図２に示すスラブコンクリート２８をデッキプレート１０上に打設することで、合成スラブを構築する。
【００３１】
＜作用及び効果＞
本実施形態によれば、デッキプレート１０の谷部１４内に下端主筋２６が配筋されている。このため、デッキプレート１０の谷部１４内に下端主筋２６が配筋されていない構成と比較して、床耐荷重を高めることができるとともに、梁によるデッキプレート１０の支持スパンを長くすることができる。
【００３２】
特に本実施形態では、上端主筋２０及び下端主筋２６が、デッキプレート１０の谷部１４毎にそれぞれ２本以上ずつ配置されている。このため、上端主筋２０及び下端主筋２６がデッキプレート１０の谷部１４毎に１本ずつ配置されている構成と比較して、床耐荷重をより高めることができるとともに、梁によるデッキプレート１０の支持スパンをより長くすることができる。
【００３３】
また、本実施形態によれば、上端主筋２０に吊下げ筋２４が支持されており、吊下げ筋２４に下端主筋２６が支持されている。このため、下端主筋２６を支持する支持部材（吊下げ筋２４）がデッキプレート１０に溶接されている構成と比較して、下端主筋２６の配筋作業が容易となる。
【００３４】
特に本実施形態では、吊下げ筋２４が略Ｕ字形状とされており、上端部に係止部２４Ａが設けられ、下端部に受け部２４Ｂが設けられている。このため、吊下げ筋２４の係止部２４Ａを上端主筋２０に係止することで、吊下げ筋２４を上端主筋２０に容易に吊下げることができる。また、吊下げ筋２４の受け部２４Ｂに下端主筋２６を載置することで、デッキプレート１０の谷部１４に下端主筋２６を所定のピッチで容易に配筋することができる。
【００３５】
また、本実施形態では、デッキプレート１０として波形のＱＬデッキを用いている。このため、同程度の床耐荷重を有する合成スラブのデッキプレートとしてフラットデッキを用いた場合と比較して、スラブコンクリート２８の量を減らすことができ、床自重を減らすことができる。
【００３６】
＜その他の実施形態＞
以上、本発明について実施形態の一例を説明したが、本発明はかかる実施形態に限定されるものではなく、本発明の範囲内にて他の種々の実施形態が可能である。
【００３７】
例えば、上記実施形態では、吊下げ筋２４が略Ｕ字形状とされていた。しかし、吊下げ筋２４は、上端主筋２０又は配力筋２２に吊下げることができる形状であればどのような形状とされていてもよく、図４（Ａ）に示す吊下げ筋３４のように略Ｗ字形状とされていてもよい。
【００３８】
吊下げ筋３４を略Ｗ字形状とすることで、吊下げ筋３４に一対の受け部３４Ｂを設けることができる。このため、一対の受け部３４Ｂに下端主筋３６をそれぞれ配筋することで、下端主筋３６を容易に位置決めすることができる。
【００３９】
また、上記実施形態では、上端主筋２０が配力筋２２に支持され、吊下げ筋２４が上端主筋２０に支持されていた。しかし、図４（Ｂ）に示すように、上端主筋４０の上に配力筋４２が載置されることで、配力筋４２が上端主筋４０に支持されていてもよく、吊下げ筋４４の係止部４４Ａが配力筋４２に係止されることで、吊下げ筋４４が配力筋４２に支持されていてもよい。
【００４０】
さらに、上記実施形態では、下端主筋２６がデッキプレート１０の谷部１４毎に２本ずつ配置されていたが、図４（Ｃ）に示すように、下端主筋５６がデッキプレート１０の谷部１４毎に１本ずつ配置されていてもよい。なお、この場合、下端主筋５６を支持する吊下げ筋５４は略Ｖ字形状とされていてもよい。
【００４１】
また、下端主筋５６と同様に、上端主筋２０についてもデッキプレート１０の谷部１４毎に１本ずつ配置されていてもよい。さらに、上端主筋２０及び下端主筋２６がデッキプレート１０の谷部１４毎に３本以上ずつ配置されていてもよい。
【００４２】
また、上記実施形態では、吊下げ筋２４の上端部が外側へ向かって鉤状に曲げられることにより係止部２４Ａが形成されていたが、吊下げ筋２４の上端部が内側へ向かって鉤状に曲げられることにより係止部が形成されていてもよい。
【００４３】
また、上記実施形態では、下端主筋２６の径が上端主筋２０の径より大きくされていたが、支配幅分の荷重を受け持つことができる大きさとされていればよく、下端主筋２６の径が上端主筋２０の径と同じ大きさとされていてもよい。
【００４４】
さらに、上記実施形態では、デッキプレート１０の谷部１４毎に上端主筋２０、吊下げ筋２４、及び下端主筋２６がそれぞれ配置されていたが、デッキプレート１０の全ての谷部１４に上端主筋２０、吊下げ筋２４、及び下端主筋２６が配置されている必要はない。例えば、支配幅が２Ｌの場合には、上端主筋２０、吊下げ筋２４、及び下端主筋２６がデッキプレート１０の谷部１４に対して１つおきに配置されていればよい。
【符号の説明】
【００４５】
１０                        デッキプレート
１２                        山部
１４                        谷部
２０、４０                  上端主筋
２２、４２                  配力筋
２４、３４、４４、５４      吊下げ筋
２４Ａ、４４Ａ              係止部
２４Ｂ、３４Ｂ              受け部
２６、３６、５６            下端主筋
【図１】
2019031792.tif 000003
【図２】
2019031792.tif 000004
【図３】
2019031792.tif 000005
【図４】
2019031792.tif 000006